(57)【特許請求の範囲】
【請求項１】
一辺部上に配列された２つの半導体チップ搭載領域を有する液晶表示パネルと、該液晶表示パネルの前記各半導体チップ搭載領域に搭載された２つの半導体チップと、前記液晶表示パネルの一辺部上であって前記半導体チップ搭載領域の外側に接合された配線基板とを備えた液晶表示装置において、前記２つの半導体チップ搭載領域内の互いに隣接する部分に前記各半導体チップの入力電極に接続される入力用接続端子が設けられ、前記液晶表示パネルの一辺部上であって前記半導体チップ搭載領域の外側に前記各半導体チップ搭載領域内の入力用接続端子に接続される１組の外部接続端子が設けられ、前記配線基板の下面に前記１組の外部接続端子に接続される１組の入力配線が設けられていることを特徴とする液晶表示装置。
【請求項２】
請求項１に記載の発明において、前記液晶表示パネルの一辺部上に、前記各半導体チップ搭載領域内の入力用接続端子を相互に接続する中継配線が設けられていることを特徴とする液晶表示装置。
【請求項３】
請求項２に記載の発明において、前記１組の外部接続端子の一部は一方の前記半導体チップ搭載領域内の入力用接続端子に接続され、残りは他方の前記半導体チップ搭載領域内の入力用接続端子に接続されていることを特徴とする液晶表示装置。
【請求項４】
請求項２に記載の発明において、前記１組の外部接続端子はすべて一方の前記半導体チップ搭載領域内の入力用接続端子に接続されていることを特徴とする液晶表示装置。
【請求項５】
請求項１〜４のいずれかに記載の発明において、前記２つの半導体チップは入力電極が点対称に配置されていることを特徴とする液晶表示装置。
【請求項６】
請求項１〜５のいずれかに記載の発明において、前記液晶表示パネルの一辺部上に、前記各半導体チップの出力電極に接続される出力配線が当該一辺部の端面まで延びて設けられていることを特徴とする液晶表示装置。
【請求項７】
請求項６に記載の発明において、前記出力配線は陽極酸化用配線を兼ねていることを特徴とする液晶表示装置。
【請求項８】
請求項１〜６のいずれかに記載の発明において、前記液晶表示パネルの一辺部上に前記出力配線の前記入力用接続端子が形成された側と反対側に配線が形成され、前記配線基板は前記入力配線に接続される配線を有することを特徴とする液晶表示装置。
【請求項９】
請求項８記載の発明において、前記配線基板の前記入力配線および前記配線は該配線基板の一面に形成されていることを特徴とする液晶表示装置。
【発明の詳細な説明】
【０００１】
【発明の属する技術分野】
この発明は液晶表示装置に関する。
【０００２】
【従来の技術】
図５は従来の液晶表示装置の一例の平面図を示したものである。この液晶表示装置はアクティブマトリクス型の液晶表示パネル１を備えている。液晶表示パネル１は、下ガラス基板２と上ガラス基板３とがほぼ方形枠状のシール材（図示せず）を介して貼り合わされ、その間に液晶（図示せず）が封入されたものからなっている。この場合、下ガラス基板２の右辺部および下辺部は上ガラス基板３から突出されている。
【０００３】
下ガラス基板２の右側の突出部２ａの上面の所定の２箇所に直列的に設けられた長方形状の半導体チップ搭載領域１１（図６（ａ）参照）には長方形状の半導体チップ４が異方性導電接着剤（図示せず）を介して搭載されている。下ガラス基板２の下側の突出部２ｂの上面の所定の２箇所に直列的に設けられた長方形状の半導体チップ搭載領域には長方形状の半導体チップ５が異方性導電接着剤（図示せず）を介して搭載されている。半導体チップ４、５は、液晶駆動用のＬＳＩ等からなっている。
【０００４】
下ガラス基板２の上面において二点鎖線で囲まれた表示領域６には、図示していないが、複数の走査線が行方向（図５の紙面左右方向）に延びて設けられているとともに、複数の信号線が列方向（図５の紙面上下方向）に延びて設けられている。走査線の右端部は、下ガラス基板２の上面の所定の２箇所に設けられた出力配線７を介して右側の２つの半導体チップ４に接続されている。したがって、右側の半導体チップ４は複数の走査線に電圧を供給する走査線駆動用のものである。信号線の下端部は、下ガラス基板２の上面の所定の２箇所に設けられた出力配線８を介して下側の２つの半導体チップ５に接続されている。したがって、下側の半導体チップ５は複数の信号線に電圧を供給する信号線駆動用のものである。
【０００５】
下ガラス基板２の右側の突出部２ａの上面において半導体チップ４搭載領域の外側にはフレキシブル配線基板２１の一端部下面が異方性導電接着剤（図示せず）を介して接合されている。フレキシブル配線基板２１と右側の２つの半導体チップ４とは、下ガラス基板２の右側の突出部２ａの上面の所定の２箇所に設けられた２組の入力配線９を介して後で詳述するように接続されている。フレキシブル配線基板２１と下側の２つの半導体チップ５とは、下ガラス基板２の下側の突出部２ｂの上面の所定の箇所に設けられた１組の入力配線１０を介して接続されている。
【０００６】
次に、図６（ａ）は図５に示す液晶表示パネル１の右辺部の一部の分解した状態における拡大平面図を示したものである。下ガラス基板２の突出部２ａの上面において一点鎖線で囲まれた領域１１は、半導体チップ４が搭載される半導体チップ搭載領域である。入力配線９は、図６（ａ）において、半導体チップ搭載領域１１の左辺部の外側において下ガラス基板２の突出部２ａの端面近傍に並列して設けられた７つの外部接続端子９ａと、半導体チップ搭載領域１１内の左辺部の上側に４つ下側に３つ設けられた入力用接続端子９ｂと、外部接続端子９ａと入力用接続端子９ｂとの間に設けられた引き回し線９ｃとからなっている。出力配線７の一部からなる出力用接続端子７ａは、図６（ａ）において、半導体チップ搭載領域１１内の上辺部に設けられている。この場合、出力配線７は下ガラス基板２の突出部２ａの端面まで延ばされているが、その理由については後で説明する。
【０００７】
フレキシブル配線基板２１は、図５に示すように、帯状部２２ａおよびこの帯状部２２ａの左部から上方に突出された突出部２２ｂを有するほぼＬ字状のフィルム２２を備えている。そして、図６（ｂ）の拡大平面図に図示される如く、フィルム２２の帯状部２２ａの下面の右側には、左側の入力配線９の外部接続端子９ａに接続される７本の入力配線２３が並列して設けられている。フィルム２２の突出部２２ｂの突出部下面には、右側の入力配線９の外部接続端子９ａに接続される７本の入力配線２４が並列して設けられている。この右側の入力配線２４は、スルーホール導通部２５、フィルム２２の上面に左側の入力配線２３を横断して設けられた引き回し線２６およびスルーホール導通部２７を介して左側の入力配線２３に接続されている。なお、フィルム２２の帯状部２２ａの下面の左側には、信号用の入力配線１０に接続される７本の入力配線２８が並列して設けられている。
【０００８】
次に、図７は図６（ａ）に示す液晶表示パネル１の半導体チップ搭載領域１１に搭載される半導体チップ４の端子位置を示すための透過拡大平面図を示したものである。半導体チップ４の下面の左辺部の上側には４つ下側には３つの入力用バンプ電極３１が設けられ、上辺部には複数の出力用バンプ電極３２が設けられている。そして、半導体チップ４を半導体チップ搭載領域１１に異方性導電接着剤を介して搭載した状態では、半導体チップ４の入力用バンプ電極３１および出力用バンプ電極３２は、液晶表示パネル１の入力用接続端子９ｂおよび出力用接続端子７ａに接続されている。
【０００９】
次に、この液晶表示装置における走査線駆動信号の流れの一部について、図６を参照して説明する。左側の半導体チップ搭載領域１１に搭載された半導体チップ４に対する走査線駆動信号は、フレキシブル配線基板２１の入力配線２３、左側の入力配線９の外部接続端子９ａ、引き回し線９ｃ、入力用接続端子９ｂを介して左側の半導体チップ４の入力用バンプ電極３１に供給される。右側の半導体チップ搭載領域１１に搭載された半導体チップ４に対する走査線駆動信号は、フレキシブル配線基板２１の入力配線２３、スルーホール導通部２７、引き回し線２６、入力配線２４、右側の入力配線９の外部接続端子９ａ、引き回し線９ｃ、入力用接続端子９ｂを介して右側の半導体チップ４の入力用バンプ電極３１に供給される。
【００１０】
ここで、出力配線７を下ガラス基板２の突出部２ａの端面まで延ばしている理由について説明する。上記のような構造の液晶表示パネル１を製造する場合、複数個の下ガラス基板２に対応する大きさの大型ガラス基板を用意し、この大型ガラス基板の下ガラス基板２形成領域の周囲に陽極酸化用給電線を出力配線７に接続させて設け、陽極酸化処理を行うことにより、特に、出力配線７に接続された走査線の表面に陽極酸化膜を形成し、これにより絶縁耐圧の向上を図ることがある。このような場合、大型ガラス基板を切断して個々の下ガラス基板２を得ると、出力配線７は下ガラス基板２の突出部２ａの端面まで延ばされている。
【００１１】
そして、このような構造の液晶表示パネル１では、下ガラス基板２の突出部２ａ上に、例えば図５に示すような１組の入力配線１０を設けると、当該入力配線と出力配線７とが互いに交差することになるので、その間に絶縁膜を介在させても、走査線駆動の信頼性が低下し、好ましくない、そこで、図６（ａ）に示すように、２つの半導体チップ搭載領域１１内の左辺部およびその外側にそれぞれ入力配線９を設けている。
【００１２】
【発明が解決しようとする課題】
ところで、液晶表示パネル１が上記のような構造であると、入力配線９が２組となるので、フレキシブル配線基板２１としても２組の入力配線２３、２４を備えたものを用いることになる。すなわち、フレキシブル配線基板２１として、フィルム２２の突出部２２ｂの突出部下面に設けられた入力配線２４をスルーホール導通部２５、フィルム２２の上面に設けられた引き回し線２６およびスルーホール導通部２７を介してフィルム２２の帯状部２２ａの下面に設けられた入力配線２３に接続した構造のものを用いることになる。しかしながら、このようなフレキシブル配線基板２１では、スルーホール導通部２５、２７を有する両面配線の複雑な構造となり、したがってコスト高になってしまうという問題があった。
この発明の課題は、配線基板を片面配線の簡単な構造とすることである。
【００１３】
【課題を解決するための手段】
請求項１に記載の発明は、一辺部上に配列された２つの半導体チップ搭載領域を有する液晶表示パネルと、該液晶表示パネルの前記各半導体チップ搭載領域に搭載された２つの半導体チップと、前記液晶表示パネルの一辺部上であって前記半導体チップ搭載領域の外側に接合された配線基板とを備えた液晶表示装置において、前記２つの半導体チップ搭載領域内の互いに隣接する部分に前記各半導体チップの入力電極に接続される入力用接続端子を設け、前記液晶表示パネルの一辺部上であって前記半導体チップ搭載領域の外側に前記各半導体チップ搭載領域内の入力用接続端子に接続される１組の外部接続端子を設け、前記配線基板の下面に前記１組の外部接続端子に接続される１組の入力配線を設けものである。
請求項２に記載の発明は、請求項１に記載の発明において、前記液晶表示パネルの一辺部上に、前記各半導体チップ搭載領域内の入力用接続端子を相互に接続する中継配線を設けたものである。
請求項３に記載の発明は、請求項２に記載の発明において、前記１組の外部接続端子の一部を一方の前記半導体チップ搭載領域内の入力用接続端子に接続させ、残りを他方の前記半導体チップ搭載領域内の入力用接続端子に接続させたものである。
請求項４に記載の発明は、請求項２に記載の発明において、前記１組の外部接続端子をすべて一方の前記半導体チップ搭載領域内の入力用接続端子に接続させたものである。
請求項５に記載の発明は、請求項１〜４のいずれかに記載の発明において、前記２つの半導体チップの入力電極を点対称に配置したものである。
請求項６に記載の発明は、請求項１〜５のいずれかに記載の発明において、前記液晶表示パネルの一辺部上に、前記各半導体チップの出力電極に接続される出力配線を当該一辺部の端面まで延ばして設けたものである。
請求項７に記載の発明は、請求項６に記載の発明において、前記出力配線に陽極酸化用配線を兼ねさせたものである。
請求項８に記載の発明は、請求項１〜６のいずれかに記載の発明において、前記液晶表示パネルの一辺部上に前記出力配線の前記入力用接続端子が形成された側と反対側に配線が形成され、前記配線基板に前記入力配線に接続される配線を設けたものである。
請求項９に記載の発明は、請求項８記載の発明において、前記配線基板の前記入力配線および前記配線を該配線基板の一面に形成したものである。
そして、請求項１に記載の発明によれば、液晶表示パネルの２つの半導体チップ搭載領域内の互いに隣接する部分に各半導体チップの入力電極に接続される入力用接続端子を設け、液晶表示パネルの一辺部上であって半導体チップ搭載領域の外側に各半導体チップ搭載領域内の入力用接続端子に接続される１組の外部接続端子を設けているので、配線基板として、その下面に液晶表示パネルの１組の外部接続端子に接続される１組の入力配線が設けられたものを用いることができ、したがって配線基板を片面配線の簡単な構造とすることができる。
【００１４】
【発明の実施の形態】
図１はこの発明の一実施形態における液晶表示装置の平面図を示し、図２（ａ）は図１に示す液晶表示パネルの右辺部の一部の分解した状態における拡大平面図を示し、図２（ｂ）は図２（ａ）に示す液晶表示パネルに対応する部分のフレキシブル配線基板の拡大平面図を示し、図３は図２（ａ）に示す液晶表示パネルの半導体チップ搭載領域に搭載される半導体チップの端子位置を示すための透過拡大平面図を示したものである。なお、これらの図において、説明の便宜上、図５〜図７に示す従来のものと同一名称部分には同一の符号を付して説明することとする。
【００１５】
図１に示すように、この液晶表示装置はアクティブマトリクス型の液晶表示パネル１を備えている。液晶表示パネル１は、下ガラス基板２と上ガラス基板３とがほぼ方形枠状のシール材（図示せず）を介して貼り合わされ、その間に液晶（図示せず）が封入されたものからなっている。この場合、下ガラス基板２の右辺部および下辺部は上ガラス基板３から突出されている。
【００１６】
下ガラス基板２の右側の突出部２ａの上面の所定の２箇所に直列的に設けられた長方形状の半導体チップ搭載領域１１（図２（ａ）参照）には長方形状の半導体チップ４が異方性導電接着剤（図示せず）を介して搭載されている。下ガラス基板２の下側の突出部２ｂの上面の所定の２箇所に直列的に設けられた長方形状の半導体チップ搭載領域には長方形状の半導体チップ５が異方性導電接着剤（図示せず）を介して搭載されている。半導体チップ４、５は、液晶駆動用のＬＳＩ等からなっている。
【００１７】
下ガラス基板２の上面において二点鎖線で囲まれた表示領域６には、図示していないが、複数の走査線が行方向（図１の紙面左右方向）に延びて設けられているとともに、複数の信号線が列方向（図１の紙面上下方向）に延びて設けられている。走査線の右端部は、下ガラス基板２の上面の所定の２箇所に設けられた出力配線７を介して右側の２つの半導体チップ４に接続されている。したがって、右側の半導体チップ４は複数の走査線に電圧を供給する走査線駆動用のものである。信号線の下端部は、下ガラス基板２の上面の所定の２箇所に設けられた出力配線８を介して下側の２つの半導体チップ５に接続されている。したがって、下側の半導体チップ５は複数の信号線に電圧を供給する信号線駆動用のものである。
【００１８】
下ガラス基板２の右側の突出部２ａの上面において半導体チップ４搭載領域の外側にはフレキシブル配線基板２１の一端部下面が異方性導電接着剤（図示せず）を介して接合されている。フレキシブル配線基板２１と右側の２つの半導体チップ４とは、下ガラス基板２の右側の突出部２ａの上面の所定の箇所に設けられた１組の入力配線９を介して後で詳述するように接続されている。フレキシブル配線基板２１と下側の２つの半導体チップ５とは、下ガラス基板２の下側の突出部２ｂの上面の所定の箇所に設けられた１組の入力配線１０を介して接続されている。
【００１９】
次に、図２（ａ）に示すように、下ガラス基板２の突出部２ａの上面において一点鎖線で囲まれた領域１１は、半導体チップ４が搭載される半導体チップ搭載領域である。この場合、２つの半導体チップ搭載領域１１内における接続端子の配置は点対称となっている。すなわち、図２（ａ）における左側の半導体チップ搭載領域１１内の右辺部の上側には３つ下側には４つの入力用接続端子１２ｂが設けられ、下辺部には出力配線７の一部からなる出力用接続端子７ａが設けられている。図２（ａ）における右側の半導体チップ搭載領域１１内の左辺部の上側には４つ下側には３つの入力用接続端子９ｂが設けられ、上辺部には出力配線７の一部からなる出力用接続端子７ａが設けられている。
【００２０】
そして、入力配線９は、２つの半導体チップ搭載領域１１の互いに隣接する部分の外側において下ガラス基板２の突出部２ａの端面近傍に並列して設けられた７つの外部接続端子９ａと、上記合計１４個の入力用接続端子９ｂと、２つの半導体チップ搭載領域１１の互いに隣接する部分およびその外側の上ガラス基板３側に設けられた７本の中継配線９ｄとからなっている。この場合、図２（ａ）において、左側の４つの外部接続端子９ａは左側の半導体チップ搭載領域１１内の右辺部の下側に設けられた入力用接続端子９ｂに接続され、右側の３つの外部接続端子９ａは右側の半導体チップ搭載領域１１内の左辺部の下側に設けられた入力用接続端子９ｂに接続されている。
【００２１】
７本の中継配線９ｄのうち１本おきの４本の中継配線９ｄは、左側の半導体チップ搭載領域１１内の右辺部の下側に設けられた入力用接続端子９ｂと右側の半導体チップ搭載領域１１内の左辺部の上側に設けられた入力用接続端子９ｂとの間に設けられている。残りの３本の中継配線９ｄは、左側の半導体チップ搭載領域１１内の右辺部の上側に設けられた入力用接続端子９ｂと右側の半導体チップ搭載領域１１内の左辺部の下側に設けられた入力用接続端子９ｂとの間に設けられている。なお、この場合も、出力配線７は下ガラス基板２の突出部２ａの端面まで延ばされている。
【００２２】
フレキシブル配線基板２１は、図１に示すように、帯状部２２ａおよびこの帯状部２２ａの左部から上方に突出された突出部２２ｂを有するほぼＬ字状のフィルム２２を備えている。そして、図２（ｂ）の拡大平面図に図示される如く、フィルム２２の下面には、帯状部２２ａの下面の右側に並列して設けられた７本の第１の入力配線２３ａと、突出部２２ｂの突出部下面に並列して設けられた７本の第２の入力配線２３ｂと、第１の入力配線２３ａと第２の入力配線２３ｂとの間に並列して設けられた第３の入力配線２３ｃと、からなる１組の入力配線が設けられている。この１組の入力配線のうち第２の入力配線２３ｂは液晶表示パネル１の１組の入力配線９の外部接続端子９ａに接続されている。なお、フィルム２２の帯状部２２ａの下面の左側には、信号用の入力配線１０に接続される７本の入力配線２８が並列して設けられている。
【００２３】
次に、図３に示すように、半導体チップ４の下面の左辺部の上側には４つ下側には３つの入力用バンプ電極３１が設けられ、上辺部には複数の出力用バンプ電極３２が設けられている。そして、図２（ａ）における右側の半導体チップ搭載領域１１には、図３に示す状態の半導体チップ４が異方性導電接着剤を介して搭載され、図２（ａ）における左側の半導体チップ搭載領域１１には、図３に示す状態から１８０°回転された状態の半導体チップ４が異方性導電接着剤を介して搭載されている。この状態では、半導体チップ４の入力用バンプ電極３１および出力用バンプ電極３２は、液晶表示パネル１の入力用接続端子９ｂおよび出力用接続端子７ａに接続されている。
【００２４】
次に、この液晶表示装置における走査線駆動信号の流れの一部について、図２を参照して説明する。左側の半導体チップ搭載領域１１に搭載された半導体チップ４に対する走査線駆動信号は、フレキシブル配線基板２１の入力配線２３ａ、２３ｃ、２３ｂを介して入力配線９の外部接続端子９ａに供給される。そして、図２（ａ）において左側の４つの外部接続端子９ａに供給された走査線駆動信号は、それに接続された入力用接続端子９ｂを介して左側の半導体チップ４の入力用バンプ電極３１に供給される。図２（ａ）において右側の３つの外部接続端子９ａに供給された走査線駆動信号は、それに接続された入力用接続端子９ｂ、中継配線９ｄおよび入力用接続端子９ｂを介して左側の半導体チップ４の入力用バンプ電極３１に供給される。
【００２５】
一方、右側の半導体チップ搭載領域１１に搭載された半導体チップ４に対する走査線駆動信号は、フレキシブル配線基板２１の入力配線２３ａ、２３ｃ、２３ｂを介して入力配線９の外部接続端子９ａに供給される。そして、図２（ａ）において右側の３つの外部接続端子９ａに供給された走査線駆動信号は、それに接続された入力用接続端子９ｂを介して右側の半導体チップ４の入力用バンプ電極３１に供給される。図２（ａ）において左側の４つの外部接続端子９ａに供給された走査線駆動信号は、それに接続された入力用接続端子９ｂ、中継配線９ｄおよび入力用接続端子９ｂを介して右側の半導体チップ４の入力用バンプ電極３１に供給される。
【００２６】
以上のように、この液晶表示装置では、液晶表示パネル１の２つの半導体チップ搭載領域１１内の互いに隣接する部分に各半導体チップ４の入力用バンプ電極３１に接続される入力用接続端子９ｂを設け、半導体チップ搭載領域１１の外側に各半導体チップ搭載領域１１内の入力用接続端子９ｂに接続される１組の外部接続端子９ａを設けているので、フレキシブル配線基板２１として、その下面に液晶表示パネル１の１組の外部接続端子９ａに接続される１組の入力配線２３ａ、２３ｂ、２３ｃが設けられたものを用いることができる。したがって、フレキシブル配線基板１を片面配線の簡単な構造とすることができ、ひいてはフレキシブル配線基板１のコストを低減することができる。
【００２７】
ところで、図６（ａ）に示す従来例の場合には、左側の半導体チップ搭載領域１１の左側に入力配線９を設けているので、当該左側の半導体チップ搭載領域１１を信号用の入力配線１０からある程度離れた位置に設けることになる。これに対し、この実施形態の場合には、図２（ａ）に示すように、左側の半導体チップ搭載領域１１の左側に入力配線９を設けていないので、当該左側の半導体チップ搭載領域１１を信号用の入力配線１０に可及的に近づけた位置に設けることができる。また、液晶表示パネル１に１組の入力配線９を設けているので、フレキシブル配線基板２１にも１組の入力配線２３ａ、２３ｂ、２３ｃを設ければよい。以上の結果、図２（ａ）に示すフレキシブル配線基板２１の突出部２２ｂの突出長（図２（ａ）の紙面左右方向の長さ）を図６（ａ）に示す従来例の場合よりも短くすることができ、フレキシブル配線基板２１の占有面積が小さくなり、ひいてはフレキシブル配線基板２１のコストをより一層低減することができる。
【００２８】
なお、上記実施形態では、図２（ａ）に示すように、７つの外部接続端子９ａのうち右側の３つの外部接続端子９ａを右側の半導体チップ搭載領域１１内の左辺部の下側に設けられた入力用接続端子９ｂに接続した場合について説明したが、これに限定されるものではない。例えば、図４（ａ）に示すように、７つの外部接続端子９ａをすべて左側の半導体チップ搭載領域１１内の右辺部に設けられた入力用接続端子９ｂに接続し、当該入力用接続端子９ｂと右側の半導体チップ搭載領域１１内の左辺部に設けられた入力用接続端子９ｂとを中継配線９ｄで接続するようにしてもよい。このようにした場合には、図４（ｂ）に示すフレキシブル配線基板２１の突出部２２ｂの突出長を図２（ｂ）に示す場合よりもより一層短くすることができる。
【００２９】
また、上記実施形態では、２つの半導体チップ４として入力電極３１および出力電極３２の配置が同じであるものを用いた場合について説明したが、これに限らず、入力電極３１および出力電極３２の配置が互いに異なるものを用いるようにしてもよい。ただし、この場合、２つの半導体チップ搭載領域１１内の接続端子の配置は非点対称となる。
【００３０】
【発明の効果】
以上説明したように、この発明によれば、液晶表示パネルの２つの半導体チップ搭載領域内の互いに隣接する部分に各半導体チップの入力電極に接続される入力用接続端子を設け、液晶表示パネルの一辺部上であって半導体チップ搭載領域の外側に各半導体チップ搭載領域内の入力用接続端子に接続される１組の外部接続端子を設けているので、配線基板として、その下面に液晶表示パネルの１組の外部接続端子に接続される１組の入力配線が設けられたものを用いることができ、したがって配線基板を片面配線の簡単な構造とすることができ、ひいては配線基板のコストを低減することができる。
【図面の簡単な説明】
【図１】この発明の一実施形態における液晶表示装置の平面図。
【図２】（ａ）は図１に示す液晶表示パネルの右辺部の一部の分解した状態における拡大平面図、（ｂ）は図２（ａ）に示す液晶表示パネルに対応する部分のフレキシブル配線基板の拡大平面図。
【図３】図２（ａ）に示す液晶表示パネルの半導体チップ搭載領域に搭載される半導体チップの端子位置を示すための透過拡大平面図。
【図４】この発明の他の実施形態における液晶表示装置を説明するために示すもので、（ａ）は図２（ａ）同様の拡大平面図、（ｂ）は図２（ｂ）同様の拡大平面図。
【図５】従来の液晶表示装置の一例の平面図。
【図６】（ａ）は図５に示す液晶表示パネルの右辺部の一部の分解した状態における拡大平面図、（ｂ）は図６（ａ）に示す液晶表示パネルに対応する部分のフレキシブル配線基板の拡大平面図。
【図７】図６（ａ）に示す液晶表示パネルの半導体チップ搭載領域に搭載される半導体チップの端子位置を示すための透過拡大平面図。
【符号の説明】
１  液晶表示パネル
２  下ガラス基板
２ａ、２ｂ  突出部
３  上ガラス基板
４、５  半導体チップ
６  表示領域
７、８  出力配線
７ａ  出力用接続端子
９、１０  入力配線
９ａ  外部接続端子
９ｂ  入力用接続端子
９ｄ  中継配線
１１  半導体チップ搭載領域
２１  フレキシブル配線基板
２２  フィルム
２２ａ  帯状部
２２ｂ  突出部
２３ａ、２３ｂ、２３ｃ  入力配線
３１  入力電極
３２  出力電極
【図１】
0003994637.tif 000002
【図２】
0003994637.tif 000003
【図３】
0003994637.tif 000004
【図４】
0003994637.tif 000005
【図５】
0003994637.tif 000006
【図６】
0003994637.tif 000007
【図７】
0003994637.tif 000008